(57)【特許請求の範囲】
【請求項１】
可動枠の盤収容室における盤支持体が可動枠の前方に回転され、遊技盤の左側部が可動枠の前方から内部に挿入され、遊技盤の盤側係合部が盤支持体の枠側係合部に上方から嵌め込まれたまま、遊技盤が枠側係合部と盤側係合部との嵌合部分を中心として下方に回転された後、遊技盤が盤支持体を中心として前方から後方に回転しつつ盤収容室に収容されるパチンコ遊技機の遊技盤取付装置において、分離支点部が盤支持体に設けられ、分離受部が遊技盤に設けられ、遊技盤が盤支持体から取り外される場合、遊技盤が枠側係合部と盤側係合部との嵌合部分を中心として上方に回転されることによって分離支点部と分離受部とが互いに嵌め合わされるように対応することを特徴とするパチンコ遊技機の遊技盤取付装置。
【発明の詳細な説明】
【技術分野】
【０００１】
本発明は、作業者が遊技盤を上方に回転するだけで枠側係合部と盤側係合部との嵌合を解除して遊技盤を盤支持体から容易に取り外せるパチンコ遊技機の遊技盤取付装置に関する。
【背景技術】
【０００２】
図４は、特許文献１で開示されたパチンコ遊技機の遊技盤取付装置を示す。図４において、盤支持体８が可動枠３の前方に向くように回転され、遊技盤３０の左側部が可動枠３の前方から内部に挿入され、盤側係合部３２が枠側係合部１６に上方から嵌め込まれたまま、遊技盤３０が枠側係合部１６と盤側係合部３２との嵌合部分を中心として下方に回転された後、遊技盤３０が前方から後方に押されて盤収容室６に固定される。しかしながら、遊技盤３０が盤支持体８から取り外される場合、作業者が遊技盤３０を持ち上げて枠側係合部１６と盤側係合部３２との嵌め合いを解除しなければならないという欠点がある。
【特許文献１】特開２００６−１６６９８２号公報
【発明の開示】
【発明が解決しようとする課題】
【０００３】
発明が解決しようとする問題点は、作業者が遊技盤を持ち上げて枠側係合部と盤側係合部との嵌合を解除しなければならないという点である。
【課題を解決するための手段】
【０００４】
本発明に係るパチンコ遊技機の遊技盤取付装置は、可動枠の盤収容室における盤支持体が可動枠の前方に回転され、遊技盤の左側部が可動枠の前方から内部に挿入され、遊技盤の盤側係合部が盤支持体の枠側係合部に上方から嵌め込まれたまま、遊技盤が枠側係合部と盤側係合部との嵌合部分を中心として下方に回転された後、遊技盤が盤支持体を中心として前方から後方に回転しつつ盤収容室に収容されるパチンコ遊技機の遊技盤取付装置において、分離支点部が盤支持体に設けられ、分離受部が遊技盤に設けられ、遊技盤が盤支持体から取り外される場合、遊技盤が枠側係合部と盤側係合部との嵌合部分を中心として上方に回転されることによって分離支点部と分離受部とが互いに嵌め合わされるように対応することを最も主要な特徴とする。
【発明の効果】
【０００５】
本発明に係るパチンコ遊技機の遊技盤取付装置は、遊技盤が可動枠の盤支持体から解放される場合、遊技盤が枠側係合部と盤側係合部との嵌合部分を中心として上方に回転された後に分離支点部と分離受部との嵌合部分を中心として上方に回転されて、盤側係合部を枠側係合部から適切に上方に解放されるので、作業者が遊技盤を手で持ち上げる必要がなく、遊技盤を上方に回転するだけで、枠側係合部と盤側係合部との嵌合を解除し、遊技盤を盤支持体から容易に取り外すことができるという利点がある。
【発明を実施するための最良の形態】
【０００６】
図１は、遊技盤３０が盤支持体８から取り外される工程を示す。図２は、パチンコ遊技機の遊技盤取付装置を示す。図３は、遊技盤３０の装着された可動枠３の正面を示す。本明細書において、「前」、「後」、「左」、「右」、「上」、「下」の方向は、図２の状態に遊技機枠１および遊技盤３０を置いて矢印Ｓで示す前方から見た場合に特定される方向である。
【０００７】
図２を参照し、パチンコ遊技機の遊技盤取付装置について説明する。パチンコ遊技機の遊技盤取付装置は、可動枠３に遊技盤３０を取り付けたり取り外したりするための装置であって、とりわけ、遊技盤３０が可動枠３の盤支持体８から取り外される場合に、遊技盤３０が枠側係合部１６と盤側係合部３２との嵌合部分を中心として上方に回転された後に分離支点部１７と分離受部３３との嵌合部分を中心として上方に回転されるのに伴い、枠側係合部１６と盤側係合部３２との嵌合を解放する構造が、図４の従来例と異なる。
【０００８】
遊技機枠１は、固定枠２の前部に可動枠３を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、左側部に位置するヒンジ４を中心とし、固定枠２の前部において前方に開かれかつ後方に閉じられるように片開き可能な前枠とも呼ばれる。可動枠３には、発射機構５、盤収容室６、中央開口部７、盤支持体８、盤ロック機構９、上扉１０、下扉１１などが設けられる。盤収容室６は、前方に開口し、前後方向に奥行の有る箱形に構成される。中央開口部７は、盤収容室６の背壁に前後方向への貫通孔として形成される。
【０００９】
盤支持体８は、支持躯体１３、上案内部１４、下案内部１５、枠側係合部１６、分離支点部１７を備える。支持躯体１３は、縦長な骨格構造体であって、盤収容室６の左側部にヒンジ１８の上下方向に延びる軸心を中心として前後方向に回転可能に取り付けられる。上案内部１４は、遊技盤３０の左上部を受容するものであって、支持躯体１３の上部から片側に突出する。下案内部１５は、遊技盤３０の左下部を受容するものであって、支持躯体１３の下部から上案内部１４と同じ方向に突出する。枠側係合部１６は、上方から下方への窪みとして上案内部１４に設けられる。分離支点部１７は、枠側係合部１６よりも左側および上方に位置し、上案内部１４に設けられる。
【００１０】
盤ロック機構９は、盤収容室６の右側部の背壁から前方に突出する台座の中心にロック操作部２０を回転可能に備える。ロック操作部２０は、台座から前方に突出した操作軸の前部に操作軸の前後方向に延びる軸心と直交する方向に突出するように固定された棒状に構成される。上扉１０は、可動枠３の前部に開閉可能に設けられ、左側に位置するヒンジ２１を中心とし、可動枠３の前で前方に開かれかつ後方に閉じられるように、片開き可能である。上扉１０には、窓２２、窓パネル２３などが設けられる。下扉１１は、可動枠３の前部に開閉可能に設けられ、左側に位置するヒンジ２４を中心とし、可動枠３の前で前方に開かれかつ後方に閉じられるように、片開き可能である。下扉１１の前部には、受皿２５、発射操作機構２６などが設けられる。
【００１１】
遊技盤３０の左側部には、盤側躯体３１が設けられる。盤側躯体３１には、盤側係合部３２および分離受部３３などが設けられる。盤側係合部３２は、遊技盤３０の前後方向に突出する棒として構成される。分離受部３３は、盤側係合部３２よりも左側および上方に位置し、左方から右方への窪みとして構成される。枠側係合部１６と盤側係合部３２とが互いに嵌め合わされたまま、遊技盤３０が枠側係合部１６と盤側係合部３２との嵌合部分を中心として左側から右側に回転された場合、分離受部３３が分離支点部１７に右側から嵌め合わされるように対応する。つまり、分離支点部１７および分離受部３３は、枠側係合部１６と盤側係合部３２との嵌合部分を中心とした１つの円周上に位置する。遊技盤３０の右側部には、ロック受部３４が前後方向への貫通孔として設けられる。遊技盤３０の前面には、ガイドレール３５や発射通路３６が設けられる。遊技盤３０の前面のガイドレール３５で囲まれた部分には、アウト口３７や図外の入賞部品および遊技釘などの遊技部品が設けられる。
【００１２】
遊技盤３０が遊技機枠１に取り付けられる場合、可動枠３が固定枠２に開閉不能に支持され、上扉１０が前方に開けられ、盤支持体８が可動枠３の前方に回転され、盤支持体８の上案内部１４および下案内部１５が盤収容室６から前方に突出するように、盤支持体８が停止される。その状態において、遊技盤３０の前面が左側に向けられ、遊技盤３０の左面が可動枠３の前面に対し斜めに向けられ、遊技盤３０の左側部が可動枠３に前方から挿入され、盤側係合部３２が枠側係合部１６に上方から嵌め込まれる。次に、遊技盤３０が枠側係合部１６と盤側係合部３２との嵌合部分を中心として下方に回転されるのに伴い、遊技盤３０の左下部が下案内部１５に受容され、遊技盤３０の下縁部が盤収容室６の下縁部と平行になる。
【００１３】
引き続き、遊技盤３０が前方から後方に押されて盤支持体８のヒンジ１８の上下方向に延びる軸心を中心として後方に回転するのに伴い、ロック操作部２０がロック受部３４を経由して遊技盤３０の前方に突出する。その状態において、ロック操作部２０が例えば左方向に９０度回転され、ロック操作部２０が遊技盤３０におけるロック受部３４の周りの前面に係合し、遊技盤３０が盤収容室６に取り付けられる。その後、上扉１０が閉じられて可動枠３に開閉不能に支持され、パチンコ遊技機が構成される。このパチンコ遊技機では、窓パネル２３と遊技盤３０の前面との間におけるガイドレール３５で囲まれた部分が遊技領域として構成される。この遊技領域は、発射機構５から発射された球の飛び交う空間であるとともに、遊技機枠１の前方から窓２２および窓パネル２３を通して視認し得る空間である。
【００１４】
図３を参照し、遊技盤３０が盤収容室６に取り付けられた形態を可動枠３の前方から見た場合について説明する。枠側係合部１６と盤側係合部３２とが互いに嵌め合わされ、ロック操作部２０が遊技盤３０におけるロック受部３４の周りの前面に係合している。そして、遊技盤３０が可動枠３から取り外される場合、作業者がロック操作部２０を例えば右方向に９０度回転してロック受部３４と対応させた後に遊技盤３０の右側部を前方に引き出すのに伴い、盤支持体８がヒンジ１８を中心として可動枠３の前方に回転され、遊技盤３０の右側部が可動枠３よりも前方に突出し、遊技盤３０の左側部が盤収容室６に配置され、遊技盤３０の左面が可動枠３の前面に対し斜めに向けられた格好になる。その後、盤側係合部３２が枠側係合部１６から解放されるように、作業者が遊技盤３０を手で持って斜め前方に移動することによって、遊技盤３０が可動枠３から取り外される。
【００１５】
図１を参照し、遊技盤３０が可動枠３の盤支持体８から取り外される動作について説明する。図１のａ図において、矢印Ｘ１で示すように、遊技盤３０が枠側係合部１６と盤側係合部３２との嵌合部分を中心として上方に回転される。この回転に伴い、図１のｂ図に示すように、分離受部３３が分離支点部１７に右側から嵌め込まれる。引き続き、図１のｂ図に矢印Ｘ２で示すように上方に回転されるのに伴い、遊技盤３０が分離支点部１７と分離受部３３との嵌合部分を中心として上方に回転する。この回転に伴い、図１のｃ図に示すように、盤側係合部３２が枠側係合部１６から上方に解放される。このように盤側係合部３２が枠側係合部１６から上方に解放されたまま、作業者が遊技盤３０を図１のｃ図に矢印Ｘ３で示す方向に移動することによって、盤側係合部３２が上案内部１４の上に乗り、分離受部３３が分離支点部１７から解放される。
【００１６】
要するに、分離支点部１７が盤支持体８に設けられ、分離受部３３が遊技盤３０に設けられているので、遊技盤３０が枠側係合部１６と盤側係合部３２との嵌合部分を中心として上方に回転された後に分離支点部１７と分離受部３３との嵌合部分を中心として上方に回転されることによって、盤側係合部３２を枠側係合部１６から解放することができる。換言するならば、盤収容室６の左上奥に配置された盤側係合部３２を枠側係合部１６から上方に解放する場合、作業者が、遊技盤３０を手で持ち上げる必要がなく、遊技盤３０を上方に回転するだけで、枠側係合部１６と盤側係合部３２との嵌合を解除し、遊技盤３０を盤支持体８から容易に取り外すことができるという利点がある。
【産業上の利用可能性】
【００１７】
図２において、上扉１０および下扉１１は、前扉として一体に構成されてもよい。盤側躯体３１が設けられることなく、盤側係合部３２および分離受部３３が遊技盤３０に個別に設けられてもよい。
【図面の簡単な説明】
【００１８】
【図１】遊技盤が盤支持体から解放される工程図（最良の形態）。
【図２】パチンコ遊技機の遊技盤取付装置の斜視図（最良の形態）。
【図３】遊技盤の装着された可動枠の正面図（最良の形態）。
【図４】パチンコ遊技機の遊技盤取付装置の斜視図（従来）。
【符号の説明】
【００１９】
１は遊技機枠、２は固定枠、３は可動枠、４はヒンジ、５は発射機構、６は盤収容室、７は中央開口部、８は盤支持体、９は盤ロック機構、１０は上扉、１１は下扉、１２は欠番、１３は支持躯体、１４は上案内部、１５は下案内部、１６は枠側係合部、１７は分離支点部、１８はヒンジ、１９は欠番、２０はロック操作部、２１はヒンジ、２２は窓、２３は窓パネル、２４はヒンジ、２５は受皿、２６は発射操作機構、２７乃至２９は欠番、３０は遊技盤、３１は盤側躯体、３２は盤側係合部、３３は分離受部、３４はロック受部、３５はガイドレール、３６は発射通路、３７はアウト口。
【図１】
0005043580.tif 000002
【図２】
0005043580.tif 000003
【図３】
0005043580.tif 000004
【図４】
0005043580.tif 000005